(57)【要約】  【課題】  本発明は、湿度の高い時期においては床下の湿気を吸湿せしめ、湿度の低い時期においては逆に放湿せしめ、常に床下空間の湿度を適正に調湿せしめることができ、しかも、白蟻や家ダニ等の害虫を忌避せしめ、常に快適な住環境を維持せしめることが出来る害虫忌避性家屋用吸湿材を提供するものである。  【解決手段】  吸放湿性基材２にヒバ木粉４を配合して所要形状に造形固化せしめた構成よりなる。そして、上記吸放湿性基材２としては、珪藻土５を主成分とし、これに故紙６および／または粘性土７を配合せしめている。  【選択図】      図２
2005180067.tif 000002
【特許請求の範囲】
【請求項１】
吸放湿性基材にヒバ木粉を配合して所要形状に造形固化せしめてなることを特徴とする
、害虫忌避性家屋用調湿材。
【請求項２】
吸放湿性基材が珪藻土を主成分とし、これに故紙および／または粘性土を配合せしめてなることを特徴とする、請求項１記載の害虫忌避性家屋用調湿材。
【請求項３】
硬化材を配合して所要形状に造形固化せしめてなることを特徴とする、請求項１及び２記載の害虫忌避性家屋用調湿材。
【発明の詳細な説明】
【技術分野】
【０００１】
本発明は、害虫忌避性家屋用調湿材に関し、更に詳細には、床下や天井裏などに散在せしめて湿気を適宜吸放湿せしめると共に、白蟻や家ダニ等の害虫を忌避せしめ、快適な住環境を保持せしめることが出来る害虫忌避性家屋用調湿材に関する。
【背景技術】
【０００２】
一般に、家屋の床下はコンクリ−ト又は盛土で覆われているため、地中の水分がコンクリ−ト又は盛土を透過して床下空間に放出され、床下空間の湿度が非常に高いものである
。特に阪神大震災後においては、基盤廻りに重点がおかれるようになり、基礎と床版とがコンクリ−ト打法により一体化され、１階部分が全てコンクリ−トでもって覆われるものとなっている。このため、１階床張りが出来ると床下空間が従来にも増して通風が悪くなり、湿度が高くなって白蟻や家ダニなどの害虫が生息しやすく、ひいては、家屋の損傷のみならず住環境の悪化を招来せしめやすいものである。  
【０００３】
かかる従来の問題点を解決するものとして、次の特許文献が知られている。
【特許文献１】特開昭６０−１４８９４１号公報  上記特許文献１記載の発明は、家屋の基礎部の換気口に逆風防止弁を備えた換気扇を取付けたもので、換気扇の作動により床下空間の空気を強制的に外部へ排出せしめ、床下空間の湿気を除去せしめるものである。
【特許文献２】特開昭６３−１８９４９２号公報  上記特許文献２記載の発明は、粉末木炭を紙製や布製の通気性袋体に収納せしめたもので、床下等に敷設し、粉末木炭により床下空間の湿気を吸放湿せしめるものである。
【特許文献３】特開平２−３５１４４号公報    上記特許文献３記載の発明は、床下に木炭の粉砕物を散布せしめ、床下空間の湿気を吸放湿せしめるものである。
【発明の開示】
【発明が解決しようとする課題】
【０００４】
ところで、上記特許文献１記載の発明は、換気扇により床下空間の空気を外部に排出して湿気を除去せしめるものであるから、換気扇自体の設置工事が必要であるのみならず、その保守管理が非常に面倒である。しかも、換気扇は単に床下空間の空気を換気するに留まり、特に梅雨期などの湿度の高い時期においては床下の湿気を十分に除湿せしめずらいものであって、白蟻や家ダニなどの害虫を生息せしめやすく、逆に、冬期などの湿度の低い時期においては過剰に湿度を低下せしめ、家屋に悪影響を及ぼすおそれがあるものである。
【０００５】
また、上記特許文献２・３記載の発明は、特許文献１記載の発明の問題点を解決せしめることが出来る反面、床下空間の湿気を吸湿せしめるのみでは白蟻や家ダニ等の害虫の生息を確実に防止せしめることが出来ないものである。
【０００６】
本発明は上記従来技術の問題点を解決し、湿度の高い時期においては床下の湿気を吸湿せしめることが出来るのみならず、湿度の低い時期においては逆に放湿せしめ、常に床下空間の湿度を適正に調湿せしめることができ、しかも、白蟻や家ダニ等の害虫を忌避せしめ、常に快適な住環境を維持せしめることが出来る害虫忌避性家屋用吸湿材を提供しようとするものである。
【課題を解決するための手段】
【０００７】
上記の目的を達成するため、本発明の請求項１記載の発明は、吸放湿性基材にヒバ木粉を配合して所要形状に造形固化せしめてなることを特徴とする、害虫忌避性家屋用調湿材を要旨とするものである。
【０００８】
本発明の請求項２記載の発明は、吸放湿性基材が珪藻土を主成分とし、これに故紙および／または粘性土を配合せしめてなることを特徴とする、請求項１記載の害虫忌避性家屋用調湿材を要旨とするものである。
【０００９】
本発明の請求項３記載の発明は、硬化材を配合して所要形状に造形固化せしめてなることを特徴とする、請求項１及び２記載の害虫忌避性家屋用調湿材を要旨とするものである
。
【発明の効果】
【００１０】
本発明の請求項１記載の発明は上述のように構成されているから、吸放湿性基材とヒバ木粉により湿度の高い時期においては床下の湿気を吸湿せしめることができ、湿度の低い時期においては逆に放湿せしめ、常に床下空間の湿度を適正に調湿せしめることが出来るのみならず、ヒバ木粉にはヒノキチオ−ルが含有されているから白蟻や家ダニ等の害虫を忌避せしめ、常に快適な住環境を維持せしめることが出来るものである。
【００１１】
本発明の請求項２記載の発明は上述のように構成されているから、ヒバ木粉と相まって
湿度の高い時期においては床下の湿気を吸湿せしめることができ、湿度の低い時期においては逆に放湿せしめ、常に床下空間の湿度を適正に調湿せしめることが出来るのみならず
、従来例に比して安価に製造することが出来るものである。
【００１２】
本発明の請求項３記載の発明は上述のように構成されているから、湿気の吸放湿により自壊するおそれが殆んどなく、常に一定の形状に保形せしめることが出来るものである。
【発明を実施するための最良の形態】
【００１３】
以下に、本発明を実施するための最良の形態を図面に示す一実施例に基づいて説明する
。
【実施例】
【００１４】
図１及び図２は本発明の一実施例を示すもので、同図中、１は所要の径を備えた球状の害虫忌避性家屋用調湿材で、該調湿材１は吸放湿性基材２に硬化材３を介してヒバ木粉４が均一に分散せしめられている。
【００１５】
そして、上記調湿材１を構成する吸放湿性基材２は、主材としての粉状または粒状の珪藻土５と、故紙６と、粘性土７とより構成されている。上記珪藻土５は多孔質性状を呈し
、吸放湿機能を有するもので、その配合量は調湿材１に対し１５重量％〜２０重量％が好ましい。故紙６は溶解故紙を用い、その配合量は２５乾燥重量％〜３５乾燥重量％が好適である。そして、かかる故紙６は、調湿材１の繋ぎ機能を有し、調湿材１に保形性を付与せしめることが出来るのみならず、吸放湿機能を有し、しかも、有効に再利用を図ることが出来るものである。さらに、粘性土７としては公知のものを用いることが出来るが、好ましくは京都深草産のものを用いる。かかる粘性土７は、吸放湿機能を有するのみならず、その粘性でもって調湿材１に保形性を付与せしめるもので、その配合量は１０重量％〜１５重量％が好ましい。さらに、硬化材３としては、セメントや石灰などを用い、その配合量は２０重量％〜２５重量％が好ましい。かかる硬化材３として石灰を用いる場合には、殺虫機能をも併用せしめることが出来る。また、ヒバ木粉４としては、特に青森産ヒバを用いる。かかるヒバ木粉４は、害虫忌避・殺虫機能を有するヒノキチオ−ルを含有するもので、調湿材１に害虫忌避・殺虫効果を付与せしめるのみならず、天然木材であるが故に吸放湿効果をも有するものである。そして、かかるヒバ木粉４はヒバの製材工程において生成するものを使用することができ、ひいては、従来は廃棄処分されていたヒバ木粉４の有効利用を図ることが出来る。ヒバ木粉４の配合量は１５重量％〜２０重量％が好ましい。
【００１６】
次に、本発明による調湿材１の製造の一例について説明する。
【００１７】
まず、珪藻土５を１．５Ｋｇに、溶解故紙６を乾燥重量で３．５Ｋｇ、粘性土７を１．５Ｋｇ、ヒバ木粉４を１．５Ｋｇ、石灰よりなる硬化材３を２．０Ｋｇ、水２．０Ｋｇを配合せしめ、所要のミキサ−により均一に撹拌混合せしめる。しかるのち、所要の成型機により直径８ｃｍの球状に成型せしめたのち、自然乾燥、または強制乾燥せしめて生成する。なお、溶解故紙６及び粘性土７は必要に応じて各々単独に用いてもよいものである。また、調湿材１の形状は球状のみならず、楕円体や角錐体など公知の形状に成型せしめてもよいものである。
【００１８】
次に、得られた調湿材１につき、ダニ忌避試験を行い、その結果を表１に示す。なお
、上記ダニ忌避試験は黒紙の上に調湿材１をコナヒョウダニ（Ｄｅｒｍａｔｏｐｈａｇｏｉｄｅｓ ｆａｒｉｎａｅＨｕｇｈｅｓ）の繁殖培地上におき、調湿材１に這い上ってきたコナヒヨウダニの数を経時的にカウントし、次式により忌避指数を求めた。なお、忌避指数がマイナスの場合は０とした。
【００１９】
忌避指数＝｛（Ｃ−Ｔ）／Ｃ｝×１００
但し、Ｃは非調湿材対照区における這い上りダニ数、Ｔは調湿材１の処理区における這い上りダニ数を各々示す。
【００２０】
【表１】
2005180067.tif 000003
表１から明らかなように、調湿材１は明確なダニ忌避効果が認められた。これは、調湿材１を構成するヒバ木粉４含有のヒノキチオ−ルに起因するものである。
【００２１】
次に、調湿材１につき、殺虫試験を行い、その結果を表２に示す。なお、上記殺虫試験は、調湿材１と共に供試コナヒョウダニを紙袋に入れ、温度２５℃、相対湿度７５〜８５％の条件下に保存し、経時的にコナヒョウダニの致死数を求めた。
【００２２】
【表２】
2005180067.tif 000004
表２から明らかなように、本発明に係る調湿材１は明確な殺ダニ効果をも有していることが認められる。
【００２３】
また、調湿材１につき、吸放湿試験を行い、その結果を表３に示す。なお、吸湿試験は
、調湿材１をポリエステル製網袋に入れ、湿度８０％、温度３０℃下に調節した恒温・恒室内に吊し、試験前の重量と試験後の重量を測定してその吸水量を算出した。その結果を表３に示す。さらに、吸湿試験に使用した調湿材１を湿度５０％、温度２５℃下の恒温
・恒室内に吊し、試験前と試験後の重量を測定してその放水量を算出した。その結果を表３に併せて示す。
【００２４】
【表３】
2005180067.tif 000005
表３から明らかな通り、本発明に係る調湿材１は明確な吸放湿効果を奏することが認められる。
【００２５】
本発明の調湿材１は、床下空間、あるいは必要に応じて天井裏空間に所定間隔でもって散在せしめ、使用に供する。そして、湿度の高い時期においては床下等の湿気を吸湿せしめることが出来るのみならず、湿度の低い時期においては逆に放湿せしめ、常に床下空間等の湿度を適正に調湿せしめることができ、しかも、白蟻や家ダニ等の害虫を忌避せしめ
、常に快適な住環境を維持せしめる。
【図面の簡単な説明】
【００２６】
【図１】本発明の一実施例を示す正面図である。
【図２】図１のＡ部拡大断面図である。
【符号の説明】
【００２７】
１  調湿材                  
２  基材                      
３  硬化材
４  ヒバ木粉
５  珪藻土
６  故紙
７  粘性土
【図１】
2005180067.tif 000006
【図２】
2005180067.tif 000007